(57)【要約】      （修正有）【課題】負傷者にダメージを与えず安全で効率的な救出が可能となる人命救助用具を提供する。【解決手段】大震災等に遭遇し、重量物などに挟まれた負傷者を救出する場合に、考案の基本型モデル５種類から構成されたシンプルな救助器材の「救助アッセンブリー」とパール、ジャッキーとの３点セットの組み合わせによる負傷者の救出が、安全で効率的な最良の救出効果を発揮するものである。負傷者にダメージを与えず早期に救出することができ、現場の負傷者の苦痛を和らげると共に、この種の災害に特有の「クラッシュ（挫滅）症候群」の発生を防止できる可能性が十分にある。【選択図】図１
0003105825.tif 000002
【実用新案登録請求の範囲】
【請求項１】
「〔図１〕クサビ型（１）、〔図２〕クサビ型（２）、〔図３〕板型、〔図４〕角型、〔図５〕丸型（１）」の基本型モデル５種類を基本として構成された救助器材。
【請求項２】
基本型モデル５種類を基本にした、それぞれ大、中、小を組み合わせたキット（基本型モデル５種類を組み合わせた救助器材一式）とした
【請求項１】
の救助器材。
【請求項３】
バール、ハンマー、ジャッキーの救助器材と
【請求項１】
、
【請求項２】
を組み合わせて活用する救助器材。
【請求項４】
バール、ハンマー、ジャッキー以外の救助器材と
【請求項１】
、
【請求項２】
を組み合わせて活用する救助器材。
【考案の詳細な説明】
【技術分野】
【０００１】  防災（災害）関係の人命救助用具に関するものである。
【背景技術】
【０００２】  阪神淡路大震災（兵庫県南部地震）は、多数の死者が発生しその約８５パーセト（約４８３０人）が家屋の倒壊などの圧死と言われている。
又、この種災害に特有の負傷者の「クラッシュ（挫滅）症候群」の発生が医療関係では重要な問題となった。【０００３】  「クラッシュ（挫滅）症候群」とは、長時間にわたり重量物の下敷きになった場合、受傷した四肢が損傷した状態で、筋肉損傷に伴い、循環障害や腎不全を合併して高カリウム血症を生じる致命率の高い疾患で阪神淡路大震災で注目された。病院収容時は、外見上は軽症と判断されるが、２日以降から突然容態変化し重症となる。【０００４】  この大震災の教訓から全国的に震災に対する意識が高まり、大震災時には、広範囲に同時多数の負傷者や多くの火災等が発生するため、発災初期は、消防機関（公助）等の防災機関は期待できない。したがって地域の自主防災組織（共助＝自分の街は自分達で守る。）や企業（自助＝自分のところ自分達で守る。）が、自らバールやジャッキー等の救助器材の普及充実を図っているところである。【０００５】  しかし、大震災が突然発生したとき、建物倒壊の内部又はビル内の重量物等に挟さまれ、受傷している負傷者を救出する場合に、バールとジャッキーの救助器材だけで救出すると、負傷者にダメージを与える恐れがあり、安全に効率的に負傷者を救出することが難しいという事実は、民間に意外に知られていない。【０００６】  いわゆる、バールやジャッキーが、あれば負傷者を救出できると思い込んでいますが、この２点だけでは、負傷者にダメージを与える可能性があり、救出は極めて困難である。【０００７】  考案の「救助アッセンブリー」は、負傷者にダメージを与えず安全で効率的な救出が可能となるものである。また、この種災害に特有の負傷者の「クラッシュ（挫滅）症候群」の防止に役立つてるために、民間用に開発した救助器材である。
【考案の開示】
【考案が解決しようとする課題】
【０００８】  この種の救助器材は民間では、ほとんど開発が進んでいない現状にある。しかし、大震災等で多数の負傷者が発生した場合に、消防機関等を待つ余裕がないときに、民間の自主防災組織や企業等が、自ら救出することが求められます。【０００９】  民間の自主防災組織や企業等が、負傷者を救助する場合に、バールとジャッキーの救助器材の２点セットのみで救出すると、負傷者にダメージを与えてしまう恐れが十分に予想される。【００１０】  例えば、この種災害で重量物などに挟まれた負傷者を、バールのみで、こじ開けたとしても、そこに挿入する物がなければ元に戻さざるを得ず、負傷者にさらにダメージを与えかねない。【００１１】  大震災等で重量物などに挟まれている負傷者にダメージ゛を与えずに、安全で効率的に救出することが求められる。なぜなら、負傷者の予後の社会復帰に重大な影響を与えるからである。【００１２】  考案の「救助アッセンブリー」は、民間の自主防災組織や企業等が、自ら救出に使用することから、この救助器材は、操作が簡単でシンプルでなければならない。【００１３】民間の自主防災組織や企業等が、この種災害の救出に際し、負傷者にダメージを与えないで安全で効率的に救出する方法を、いかに実施し、負傷者の早期の社会復帰を図るかが、課題である。【００１４】  この種災害に特有の「クラッシュ（挫滅）症候群」を防止し、安全で効率的な救出を、いかに民間の自主防災組織や企業等で実施できるかが課題である。
【課題を解決するための手段】
【００１５】  これを解決するのが、考案の救助器材の「救助アッセンブリー」である。【００１６】  考案の「救助アッセンブリー」は、民間用にはほとんど開発がされていないものであり、東海地震、宮城県沖地震、東京直下型地震等切迫している現状から、阪神淡路大震災の教訓を踏まえ、この対応として民間の自主防災組織、企業等が、自らが実施する負傷者の救出用として開発したものである。【００１７】  考案の「救助アッセンブリー」は、重量物などに挟まれた負傷者を救出するために「基本型モデル」５種類を組み合わせたもので構成され、バール、ジャッキー、ハンマー等（以下「バール等」という。）と組み合わせることにより救出効果が十分に発揮できるが、考案の「救助アッセンブリー」の単独のみでの活用では、救出効果はあまり期待できない。【００１８】  考案の「救助アッセンブリー」とバール等の救助器材とを組み合わせることにより、安全で効率的に負傷者を救出する最良の効果を発揮するものである。また、この種災害に特有の「クラッシュ（挫滅）症候群」の防止が図れる可能性がある。【００１９】  考案の「救助アッセンブリー」とバール等の救助器材とを組み合わせることにより、大震災等で重量物などに挟まれている負傷者にダメージ゛を与えず、安全で効率的に救出することを可能にするものである。【００２０】  大震災等が発生すれば、同時に広範囲に多くの負傷者の発生が、予想されることから本考案の「救助アッセンブリー」を、バール等の救助器材と組み合わせることにより、一人でも多くの負傷者を安全に救出するために役立てるものである。【００２１】  以上、民間の自主防災組織や企業等が実施する大震災等で重量物など挟まれた負傷者の救出に当たり、負傷者にダメージを与えない解決策として、本考案の「救助アッセンブリー」とバール等の救助器材との組み合わせが、安全で効率的な救出を可能するものである。
【考案の効果】
【００２２】  大震災等で家屋に閉じ込められたり、重量物などに挟まれたりした負傷者を救出する際に、本考案「救助アッセンブリー」の「クサビ型（１）、クサビ型（２）、板型、角型、丸型」の基本型モデル５種類のそれぞれの大、中、小からなる、この基本型モデルの各組み合わせと、バール等の救助器材とをセットとして活用することにより、つぎの効果が期待できる。【００２３】  重量物などに挟まれている負傷者の付近の隙間（すきま）をバールでこじ開け考案の「救助アセンブリー」の中から隙間に対応できる「クサビ型」をハンマーで打ち込み順次、「板型」を挿入して空間を徐々に作り「救出の端緒」を作る。【００２４】  「救出の端緒」が作れたら、更にバールとジャッキーを併用して「角型」等を挿入し補強し、重量物と負傷者との空間を広げ負傷者を、今以上状態を悪化させないで（ダメージを与えないで）、安全に効率的に救出することが可能となる。必要により特殊釘（「カスガイ」）で、クサビ型、角型等を固定し、ずれないように確保するものである。【００２５】  「クラッシュ（挫滅）症候群」の発生の防止を図るため、負傷者の救出に時間を要する時は、現場の周囲の安全を確認し、可能な限り、挟まれている位置にハンマーで「クサビ型」を打ち込み、負傷者の挟まれている部位を１センチでも２センチでも僅かな隙間を作り「クサビ型、板型」等を挿入し順次空間を確保し、負傷者の苦痛を和らげることができる。「クラッシュ（挫滅）症候群」の防止が図れる可能性がある。【００２６】  考案の「救助アッセンブリー」は、全て桧等の木材で構成されている。これは、木材が適度の強度と柔軟性を有し、必要により角材等を現場の状況により容易に加工（割る、切る、釘出打ち付ける等）ができ、多種多様な災害現場の状況の変化に対応ができるからである。【００２７】  「クサビ型（１）、クサビ型（２）、板型、角型、丸型」の構造がシンプルで、この５種類の基本型モデルの組み合わせを活用し、誰でも容易に取り扱いができまる。
また、それぞれ１個１個は、消耗品として扱い災害現場の状況により、無理に回収せず必要により不足部分を追加することができる。【００２８】  基本型モデルが、シンプルなため容易に、災害現場に応じ臨機応変に組み合わせ活用できる。【００２９】  基本型モデルが、シンプルのため、バール等以外の救助器材においても適応性があり、考案の「救助アッセンブリー」が、広範囲の救出等に応用が可能である。【００３０】  救出中に発生が予想される、震災時に特有の「余震の対策」としても本考案の「救助アッセンリー」を総て活用し、隙間を補強し空間を確保し、特殊釘（「カスガイ」）で固定し対応ができる。【００３１】  大震災時にビル内等ドアーが閉鎖した場合にも、「クサビ型、板型」の組み合わせを活用しバールで、こじ開けハンマーで「クサビ型」を打ち込み開放することができる。【００３２】  通路等閉鎖している重量物等の移動の場合は、バールと「丸型」を活用し移動させて通路障害を除きスペースを確保できる。
【考案を実施するための最良の形態】
【００３３】  重量物などに挟まれている負傷者を、安全に効率的に救出するため、考案の「救助アッセンブリー」の基本型モデル５種のそれぞれの大、中、小とバール、ジャッキーとの３点セットの組み合わせが、安全で効率的な救出活動ができるものであり、救出効果を最良に発揮できるものである。また、必要によりハンマーを活用する。【００３４】  救出時の基本的な最良の手順は、バール、ハンマーの２点の救助器材で隙間を開け、考案の「救助アッセンブリー」の中から隙間に対応できる「クサビ型」をハンマーで打ち込み、「救出の端緒」を作る。更に、「板型」を順次挿入して空間を徐々に作り、ジャッキーを活用し「角型」を横に、状況により、縦に挿入し補強し、重量物と負傷者の空間を広げてから、負傷者を今以上状態を悪化させないで（ダメージを与えないで）、安全に効率的に救出するものである。【００３５】  「クラッシュ（挫滅）症候群」の発生の防止を図るための最良の手順は、重量物などに挟まれた負傷者の救出が困難で他（消防機関等）の応援を求める場合等、救出に時間を要する時は、現場の周囲の安全を確認し、可能な限り、挟まれている位置にハンマーで「クサビ型」を打ち込み、負傷者の挟まれている部位を１センチでも２センチでも僅かな隙間を作り「クサビ型、板型」等を挿入し順次空間を確保し、負傷者の苦痛を和らげることができる。「クラッシュ（挫滅）症候群」の防止が図れる可能性がある。【００３６】最良の救出効果を生む「救助アッセンブリー」の基本型モデル５種類とバール等組み合わせ表
0003105825.tif 000003
0003105825.tif 000004
【実施例１】
【００３７】（Ａ、Ｂは、【００３６】と照合して表現する。）
救出初期は、ＡとＢを活用しバールとのセットの組み合わせで挟まれた重量物の最下部を、こじ開けてＡ又はＢをハンマーで打ち込み挿入し隙間（すきま）を作り、負傷者の「救出の端緒」にする。
【実施例２】
【００３８】（Ｃ、Ｄ、は、【００３６】と照合して表現する。）
Ａ，Ｂで「救出の端緒」作ったらバールを使いながら、ハンマーでＣを打ち込み挿入し空間を作り、この時点でジャッキーを活用する。Ｄを横に挿入し、必要によりＣを挿入し、空間を作り更に順次Ｄを横重ねし、Ｃを挿入、ジャッキーとバールとを活用しＤを立にして空間を拡大させ、重量物を確保して、拡大し空間から負傷者を、それ以上のダメージを与えないで安全に効率的に救出することが可能となる。
【産業上の利用可能性】
【００３９】  考案の「救助アッセンブリー」を、明日にも発生が予想される東海地震、宮城県沖地震、東京直下型地震などに備えるために、「屋内（ビル）対応用アッセンブリー」と「屋外（一般住宅等）対応用アッセンブリー」をその対象に応じたキット（基本型モデルを基本としたそれぞれの大、中、小を組み合わせた一式）を早急に製品化し是非普及したい。【００４０】  考案の救助器材が普及してゆけば、低迷する国内林産業への少しでも貢献ができ、年々成長している山林の木材の活用からも、全国的に普及してゆくものである。
【図面の簡単な説明】
【００４１】
【図１】クサビ型（１）  本図は、「救出の端緒」を作るためのもので、重量物などに挟まれた部分の隙間が少ない時に、バールでこじ開け本図「クサビ型（１）」をハンマーで打ち込み挿入し「救出の端緒」を作る。寸法は、「小」たて５センチ、横１０センチ、長さ２５センチ。
【図２】クサビ型（２）  本図は、図１と同様で「救出の端緒」を作るもので、重量物などに挟まれた部分の隙間がある程度ある時に、本図「クサビ型（２）」とバールを操作しハンマーで打ち込み、挿入し「救出の端緒」を作る。寸法は、「小」たて１０センチ、横１０センチ、長さ２５センチ。
【図３】板型  １図、２図で作った「救出の端緒」の隙間に、本図「板型」をバールでこじ開け挿入するか又は、ハンマーで打ち込み挿入し空間を広げジャッキーを活用できる空間を確保する。この時点で救出ができることもあり、「クラッシュ（挫滅）症候群」の発生の防止が図れる可能性がある。必要により挟まれた部分の両側に実施する。  寸法は、「小」たて２センチ、横１５センチ、長さ３５センチ。
【図４】角型  １図、２図、３図で作った空間を、更にバールとジャッキーで本図「角型」を横挿入し空間を作ってゆく、必要により３図「板型」を挿入し空間が更に開いたら、本図「角型」を縦挿入して重量物等を支え、救出ができるスペースを確保する。この時点で慎重に負傷者の救出に当たる。必要により挟まれた部分の両側に実施する。  寸法は、「小」たて１０センチ、横１０センチ、長さ３５センチ。
【図５】丸型  重量物をバールでこじ開けその下に、本図「丸型」を挿入し重量物を移動する時に活用する。周辺の救出活動のスペースを確保する。縦活用で図４と共に重量物を支える。寸法は、「小」直径４センチ、長さ３５センチ。
【符号の説明】
【００４２】  １：平面図
２：立面図
３：断面図
【図１】
0003105825.tif 000005
【図２】
0003105825.tif 000006
【図３】
0003105825.tif 000007
【図４】
0003105825.tif 000008
【図５】
0003105825.tif 000009
【手続補正書】
【提出日】平成16年6月24日(2004.6.24)
【手続補正１】
【補正対象書類名】実用新案登録請求の範囲
【補正対象項目名】全文
【補正方法】変更
【補正の内容】
【実用新案登録請求の範囲】
【請求項１】
救出の端緒を作るクサビ型（１）、隙間が程度ある時に、救出の端緒として活用するもので、クサビ型に、そのクサビ型の先端ではなく元の部分の断面と同じ寸法の四角柱を合わせ一体化した型のクサビ型（２）、救出の端緒から初期の救出空間を作る板型、横及び縦挿入し救出空間を広げ重量物を確保する角型、重量物を移動する時に活用する丸型の基本型モデル５種類を基本として構成された救助器材。
【請求項２】
請求項１の基本型モデル５種類を基本にした、それぞれ大、中、小を組み合わせた救助器材。